(57)【特許請求の範囲】
【請求項１】
車載ハンズフリー装置から保留要求が指令された場合に通話中の呼を保留中に切替える一方で前記車載ハンズフリー装置から着信応答が指令された場合に着信中の呼を通話中に切替える機能を有する携帯電話機や、前記車載ハンズフリー装置から割込着信応答が指令された場合に通話中の呼を保留中に切替える一方で着信中の呼を通話中に切替える機能を有する携帯電話機との間でハンズフリー通信プロトコルを接続するハンズフリー接続手段と、
前記ハンズフリー接続手段との間でハンズフリー通信プロトコルを同時に接続している複数の携帯電話機のうち一の携帯電話機が通話中にあるときに他の携帯電話機が着信した場合に異機割込着信通知を行う制御手段と、
ユーザが異機割込着信に対する着信応答の操作を行うための異機割込着信応答操作手段と、
ユーザが同機割込着信に対する着信応答の操作を行うための同機割込着信応答操作手段とを備え、
前記制御手段は、前記ハンズフリー接続手段との間でハンズフリー通信プロトコルを接続している何れかの携帯電話機が着信した時点で既に通話中の携帯電話機が存在する旨を判定すると、着信した携帯電話機と通話中にある携帯電話機とが同じであるか否かを判定し、前記ハンズフリー接続手段との間でハンズフリー通信プロトコルを同時に接続している複数の携帯電話機のうち一の携帯電話機が通話中にあるときに他の携帯電話機が着信したと判定すると、ユーザが異機割込着信に対する着信応答の操作を前記異機割込着信応答操作手段により行った場合に、前記通話中にある一の携帯電話機に保留要求を指令し、前記着信した他の携帯電話機に着信応答を指令し、前記ハンズフリー接続手段における携帯電話機に対する送話音声及び受話音声の経路である音声パスの接続を前記通話中にある一の携帯電話機から前記着信した他の携帯電話機に切替え、前記ハンズフリー接続手段との間でハンズフリー通信プロトコルを接続している携帯電話機が通話中にあるときに当該携帯電話機が着信したと判定すると、ユーザが同機割込着信に対する着信応答の操作を前記同機割込着信応答操作手段により行った場合に、前記通話中にある携帯電話機に割込着信応答を指令することを特徴とする車載ハンズフリー装置。
【請求項２】
請求項１に記載した車載ハンズフリー装置において、
ユーザが通話相手切替の操作を行うための通話相手切替操作手段を備え、
前記ハンズフリー接続手段は、前記車載ハンズフリー装置から保留解除要求が指令された場合に保留中の呼を通話中に切替える機能を有する携帯電話機との間でハンズフリー通信プロトコルを接続し、
前記制御手段は、前記他の携帯電話機が通話中にあり且つ前記一の携帯電話機が保留中にあり、ユーザが通話相手切替の操作を前記通話相手切替操作手段により行った場合に、前記通話中にある他の携帯電話機に保留要求を指令し、前記保留中にある一の携帯電話機に保留解除要求を指令し、前記音声パスの接続を前記通話中にある他の携帯電話機から前記保留中にある一の携帯電話機に切替えることを特徴とする車載ハンズフリー装置。
【発明の詳細な説明】
【技術分野】
【０００１】
本発明は、複数の携帯電話機の各々との間でハンズフリー通信プロトコルを同時に接続することが可能に構成されてなる車載ハンズフリー装置に関する。
【背景技術】
【０００２】
従来より、車室内に持込まれた携帯電話機との間でハンズフリープロファイルを接続してハンズフリー機能を実現する車載ハンズフリー装置が供されている（例えば特許文献１参照）。
【特許文献１】特開２００６−９４４７７号公報
【発明の開示】
【発明が解決しようとする課題】
【０００３】
近年では、例えばプライベート用の携帯電話機と仕事用の携帯電話機との複数の携帯電話機を同時に携帯するユーザも珍しくない。このような事情から、複数の携帯電話機が車室内に持込まれた場合であっても、それら複数の携帯電話機の全てがハンズフリー待受可能となるように、複数の携帯電話機の各々との間でハンズフリープロファイルを同時に接続する（いわゆるマルチプロファイル接続する）機能を有する車載ハンズフリー装置が要望されている。
【０００４】
ところで、このような複数の携帯電話機の各々との間でハンズフリープロファイルを同時に接続する車載ハンズフリー装置が実現された場合、ハンズフリープロファイルを同時に接続している複数の携帯電話機のうち一の携帯電話機が通話中にあるときに他の携帯電話機が着信する場合もあり得る。そのような場合、ユーザにおいては、通話中にある一の携帯電話機を保留中に切替え、着信した携帯電話機を通話中に切替えたいという要望が発生すると想定されるが、このような要望に応じるものは存在していなかった。
【０００５】
本発明は、上記した事情に鑑みてなされたものであり、その目的は、ハンズフリー通信プロトコルを同時に接続している複数の携帯電話機の各々について呼状態を切替えることができ、ユーザの使い勝手を高めることができる車載ハンズフリー装置を提供することにある。
【課題を解決するための手段】
【０００６】
請求項１に記載した発明によれば、制御手段は、ハンズフリー接続手段との間でハンズフリー通信プロトコルを同時に接続している複数の携帯電話機のうち一の携帯電話機が通話中にあるときに他の携帯電話機が着信し、ユーザが異機割込着信に対する着信応答の操作を異機割込着信応答操作手段により行うと、通話中にある一の携帯電話機に保留要求を指令し、着信した他の携帯電話機に着信応答を指令し、ハンズフリー接続手段における携帯電話機に対する送話音声及び受話音声の経路である音声パスの接続を通話中にある一の携帯電話機から着信した他の携帯電話機に切替える。
【０００７】
これにより、通話中にある一の携帯電話機に保留要求を指令することにより、一の携帯電話機における通話中の呼が保留中に切替えられ、着信した他の携帯電話機に着信応答を指令することにより、他の携帯電話機における着信中の呼が通話中に切替えられるので、ハンズフリー通信プロトコルを同時に接続している複数の携帯電話機の各々について呼状態を切替えることができ、ユーザの使い勝手を高めることができる。
又、制御手段は、ハンズフリー接続手段との間でハンズフリー通信プロトコルを接続している携帯電話機が通話中にあるときに当該携帯電話機が着信し、ユーザが同機割込着信に対する着信応答の操作を同機割込着信応答操作手段により行うと、通話中にある携帯電話機に割込着信応答を指令する。
これにより、通話中にある携帯電話機に割込着信応答を指令することにより、携帯電話機における通話中の呼が保留中に切替えられると共に着信中の呼が通話中に切替えられるので、ハンズフリー通信プロトコルを接続している１つの携帯電話機について呼状態を切替えることができる。
【０００８】
請求項２に記載した発明によれば、制御手段は、他の携帯電話機が通話中にあり且つ一の携帯電話機が保留中にあり、ユーザが通話相手切替の操作を通話相手切替操作手段により行うと、通話中にある他の携帯電話機に保留要求を指令し、保留中にある一の携帯電話機に保留解除要求を指令し、音声パスの接続を通話中にある他の携帯電話機から保留中にある一の携帯電話機に切替える。
【０００９】
これにより、通話中にある他の携帯電話機に保留要求を指令することにより、他の携帯電話機における通話中の呼が保留中に切替えられ、保留中にある一の携帯電話機に保留解除要求を指令することにより、一の携帯電話機における保留中の呼が通話中に切替えられるので、他の携帯電話機に着信応答した以降においても、ハンズフリー通信プロトコルを同時に接続している複数の携帯電話機の各々について呼状態を切替えることができる。
【発明を実施するための最良の形態】
【００１２】
以下、本発明の一実施形態について、図面を参照して説明する。尚、ここでは、複数の携帯電話機としてＢｌｕｅｔｏｏｔｈ（登録商標）（以下、ＢＴと称する）通信機能を有する２台のＢＴ対応の携帯電話機（以下、携帯電話機と称する）が車室内に持込まれた場合を説明する。
【００１３】
車載ハンズフリー装置１は、車両に搭載され、制御部２（本発明でいう制御手段）と、ＢＴインタフェース部３（本発明でいうハンズフリー接続手段）と、通話音声処理部４と、記憶部５と、表示制御部６と、タッチ操作入力部７と、着信音生成部８とを備えて構成されている。
【００１４】
制御部２は、ＣＰＵ、ＲＡＭ、ＲＯＭ及びＩ／Ｏバスなどを有し、車載ハンズフリー装置１の通信動作やデータ管理動作などの動作全般を制御する。ＢＴインタフェース部３は、ＢＴの通信規格により規格化されているハンズフリー通話を行うためのハンズフリープロファイル（ＨＦＰ（Hands Free Profile））（本発明でいうハンズフリー通信プロトコル）及び電話帳データや発信履歴データや着信履歴データの転送を行うためのフォンブックアクセスプロファイル（ＰＢＡＰ（Phone Book Access Profile））に対応しており、複数のＢＴ対応の携帯電話機の各々との間でハンズフリープロファイルを同時に接続する（いわゆるマルチプロファイル接続する）ことが可能である。
【００１５】
すなわち、各々がＢＴ通信機能を有する携帯電話機２１及び携帯電話機２２が車室内に持込まれ、携帯電話機２１及び携帯電話機２２がＢＴインタフェース部３により形成されているＢＴ通信圏内に存在していれば、ＢＴインタフェース部３は、それらＢＴ通信圏内に存在している携帯電話機２１及び携帯電話機２２との間でハンズフリープロファイルを同時に接続する。尚、これらプロファイルは、機能毎に定義された通信プロトコルを意味している。
【００１６】
通話音声処理部４は、車室内にあって例えばハンドルの近傍などのユーザが発した音声を集音し易い部位に配置されているマイクロホン９を接続していると共に、車載ハンズフリー装置１の外部に配置されているオーディオアンプ１０を接続している。通話音声処理部４は、車室内に持込まれた携帯電話機２１及び携帯電話機２２のうちいずれかを用いたハンズフリー通話を行う場合に、ユーザが発した音声をマイクロホン９から送話音声として入力すると、その入力した送話音声を音声処理してＢＴインタフェース部３に出力し、ＢＴインタフェース部３から受話音声を入力すると、その入力した受話音声をオーディオアンプ１０に出力する。オーディオアンプ１０は、通話音声処理部４から受話音声を入力すると、その入力した受話音声を増幅してスピーカ１１及びスピーカ１２から出力させる。
【００１７】
スピーカ１１及びスピーカ１２は、車載ハンズフリー装置１を搭載している車両の全長方向を対称中心して左右対称に配置されている。スピーカ１１は例えば運転席ドアに配置され、スピーカ１２は例えば助手席ドアに配置されている。尚、オーディオアンプ１０は、チューナーデッキ１３にも接続されており、チューナーデッキ１３が例えば音楽用記録媒体から再生した楽曲音やラジオ放送局から受信したラジオ番組を当該チューナーデッキ１３から入力すると、それら入力した楽曲音やラジオ番組を増幅してスピーカ１１及びスピーカ１２から出力させる。
【００１８】
記憶部５は、各種データを記憶可能に構成されており、電話番号と登録名との対応を表す電話帳データ、車載ハンズフリー装置１からの発信或いは当該車載ハンズフリー装置１との間でハンズフリープロファイルを接続している携帯電話機２１或いは携帯電話機２２からの発信に係る発信時刻と発信電話番号との対応を表す発信履歴データ、車載ハンズフリー装置１との間でハンズフリープロファイルを接続している携帯電話機２１或いは携帯電話機２２における着信に係る着信時刻と着信電話番号との対応を表す着信履歴データを記憶可能に構成されている。
【００１９】
ディスプレイ装置１４は、表示画面を表示する表示装置１５と、表示画面上にタッチスイッチを形成するタッチ操作入力装置１６（本発明でいう異機割込着信応答操作手段、通話相手切替操作手段、同機割込着信応答操作手段）とを備えて構成されている。表示制御部６は、制御部２から表示指令信号を入力すると、その入力した表示指令信号に基づいてディスプレイ装置１４における表示装置１５の表示動作を制御する。タッチ操作入力部７は、ユーザが表示画面上に形成されているタッチスイッチを操作したことに応じてタッチ操作入力装置１６から操作検知信号を入力すると、その操作検知信号を制御部２に出力し、制御部２は、タッチ操作入力部７から操作検知信号を入力すると、その操作検知信号に解析して処理を行う。
【００２０】
着信音生成部８は、所定周波数帯域の単一音を着信音として生成する。この場合、ユーザは、タッチスイッチを操作して複数の着信音のうちいずれかを選択することができ、制御部２は、ユーザがタッチスイッチを操作して選択した着信音を着信音生成部８により生成する。
【００２１】
上記した携帯電話機２１及び携帯電話機２２の種別としては、インバンドリングトーンに対応している（着信音を転送する機能を有する）型とインバンドリングトーンに対応していない（着信音を転送する機能を有しない）型とがある。すなわち、携帯電話機２１及び携帯電話機２２は、インバンドリングトーンに対応している型であれば、車載ハンズフリー装置１との間でハンズフリープロファイルを接続している状態で携帯電話網３１から着信信号を受信すると、着信通知信号及び自機を識別する識別情報（例えば自機に登録されている電話番号など）を車載ハンズフリー装置１に送信すると共に、自機に登録されている着信音をも車載ハンズフリー装置１に送信する。一方、携帯電話機２１及び携帯電話機２２は、インバンドリングトーンに対応していない型であれば、車載ハンズフリー装置１との間でハンズフリープロファイルを接続している状態で携帯電話網３１から着信信号を受信すると、着信通知信号及び自機を識別する識別情報を車載ハンズフリー装置１に送信するが、自機に登録されている着信音を車載ハンズフリー装置１に送信することはない。
【００２２】
制御部２は、携帯電話機２１及び携帯電話機２２から着信通知信号及び識別情報と共に着信音を受信すると、その受信した着信音（携帯電話機２１及び携帯電話機２２に登録されている着信音）をスピーカ１１及びスピーカ１２から出力させることにより、携帯電話機２１及び携帯電話機２２が着信した旨を通知し、一方、携帯電話機２１及び携帯電話機２２から着信通知信号及び識別情報を受信するが着信音を受信しないと、着信音を着信音生成部８により生成し、その生成した着信音をスピーカ１１及びスピーカ１２から出力させることにより、携帯電話機２１及び携帯電話機２２が着信した旨を通知する。
【００２３】
次に、上記した構成の作用について、図２ないし図５を参照して説明する。ここで、図２及び図３は、車載ハンズフリー装置１の制御部２が行う処理をフローチャートとして示している。
【００２４】
車載ハンズフリー装置１において、制御部２は、着信処理を開始すると、携帯電話機２１及び携帯電話機２２のうちいずれかから着信通知信号をＢＴインタフェース部３により受信したか否かを判定し、携帯電話機２１及び携帯電話機２２のうちいずれかが着信したか否かを判定する（ステップＳ１）。
【００２５】
ここで、制御部２は、携帯電話機２１及び携帯電話機２２のうちいずれかが着信したか否かを判定すると（ステップＳ１にて「ＹＥＳ」）、その時点で既に通話中の携帯電話機が存在するか否かを判定し（ステップＳ２）、その時点で既に通話中の携帯電話機が存在しない旨を判定すると（ステップＳ２にて「ＮＯ」）、着信通知処理に移行する。
【００２６】
これに対して、制御部２は、その時点で既に通話中の携帯電話機が存在する旨を判定すると（ステップＳ２にて「ＹＥＳ」）、着信した携帯電話機から受信した識別情報と通話中の携帯電話機から受信した識別情報とが同じであるか否かに基づいて着信した携帯電話機と通話中にある携帯電話機とが同じであるか否かを判定する（ステップＳ３）。そして、制御部２は、着信した携帯電話機から受信した識別情報と通話中の携帯電話機から受信した識別情報とが同じである旨を判定し、着信した携帯電話機と通話中にある携帯電話機とが同じである旨を判定すると（ステップＳ３にて「ＹＥＳ」）、同機割込着信通知処理に移行する。また、制御部２は、着信した携帯電話機から受信した識別情報と通話中の携帯電話機から受信した識別情報とが異なる（同じでない）旨を判定し、着信した携帯電話機と通話中にある携帯電話機とが異なる旨を判定すると（ステップＳ３にて「ＮＯ」）、異機割込着信通知処理に移行する。
【００２７】
すなわち、同機割込着信通知処理とは、携帯電話機が車載ハンズフリー装置１との間でハンズフリープロファイルを接続しているときに、通話中にある携帯電話機と同じ携帯電話機が着信した場合に行う着信通知処理であり、異機割込着信通知処理とは、複数の携帯電話機の各々が車載ハンズフリー装置１との間でハンズフリープロファイルを接続しているときに、通話中にある携帯電話機とは異なる携帯電話機が着信した場合に行う着信通知処理である。
【００２８】
これ以降、異機割込着信通知処理及び同機割込着信通知処理について順次説明する。最初に、異機割込着信通知処理について図３及び図４を参照して説明する。尚、ここでは、図４に示すように、携帯電話機２１が既に通話中にあるときに携帯電話機２２が着信した場合を説明する。すなわち、携帯電話機２１を本発明でいう一の携帯電話機とし、携帯電話機２２を本発明でいう他の携帯電話機として説明する。また、ここでは、携帯電話機２１が既に通話中にあるときに携帯電話機２２が着信した場合には、着信した携帯電話機２２から当該携帯電話機２２に登録されている着信音が受信されたか否かに関係なく、受話音声をユーザに聴き取らせるのに支障がなく且つ着信を通知し得る程度の着信音を着信音生成部８により生成し、その生成した着信音を出力させる構成を前提として説明する。
【００２９】
制御部２は、異機割込着信通知処理に移行すると、通話中にある携帯電話機２１から受信した受話音声をスピーカ１１及びスピーカ１２から出力させると同時に、着信音生成部８により生成した着信音をスピーカ１１及びスピーカ１２から出力させることにより、携帯電話機２２が着信した旨をユーザ通知し、ユーザが着信応答の操作を行ったか否かを判定する（ステップＳ１１）。
【００３０】
ここで、制御部２は、ユーザが例えばハンドルの脇に配置されているスイッチやタッチ操作入力部７に形成されているタッチスイッチにより着信応答の操作を行うと、ユーザが着信応答の操作を行った旨を判定し（ステップＳ１１にて「ＹＥＳ」）、保留要求信号をＢＴインタフェース部３から通話中にある携帯電話機２１に送信させる（本発明でいう保留要求を指令する）（ステップＳ１２）。通話中にある携帯電話機２１は、車載ハンズフリー装置１から保留要求信号を受信すると、通話中の呼を保留中に遷移させ、自機が保留中状態に移行した旨を示す状態通知信号を車載ハンズフリー装置１に送信する。
【００３１】
制御部２は、通話中にある携帯電話機２１から状態通知信号をＢＴインタフェース部３により受信したことにより、携帯電話機２１における通話中の呼が保留中に遷移した旨を判定すると（ステップＳ１３にて「ＹＥＳ」）、着信応答信号をＢＴインタフェース部３から着信した携帯電話機２２に送信させる（本発明でいう着信応答を指令する）（ステップＳ１４）。着信した携帯電話機２２は、車載ハンズフリー装置１から着信応答信号を受信すると、着信中の呼を通話中に遷移させ、自機が通話中状態に移行した旨を示す状態通知信号を車載ハンズフリー装置１に送信する。
【００３２】
制御部２は、着信した携帯電話機２２から状態通知信号をＢＴインタフェース部３により受信したことにより、携帯電話機２２における着信中の呼が通話中に遷移した旨を判定すると（ステップＳ１５にて「ＹＥＳ」）、ＢＴインタフェース部３における携帯電話機に対する送話音声及び受話音声の経路である音声パスの接続を携帯電話機２１から携帯電話機２２に切替える（ステップＳ１６）。これにより、ユーザは、携帯電話機２１が既に通話中にあるときに携帯電話機２２が着信した場合に、着信応答の操作を行うことにより、通話中にある携帯電話機２１を保留中にさせる共に着信した携帯電話機２２を通話中にさせることができ、携帯電話機２２を発信先として発信した通話相手と通話することができる。
【００３３】
次いで、制御部２１は、ユーザが通話相手切替の操作を行ったか否かを判定すると共に（ステップＳ１７）、通話中にある携帯電話機２２の通話が終了したか否かを判定する（ステップＳ１８）。ここで、制御部２は、通話中にある携帯電話機２２の通話が終了するより前にユーザが例えばハンドルの脇に配置されているスイッチやタッチ操作入力部７に形成されているタッチスイッチにより通話相手切替の操作を行うと、ユーザが通話相手切替の操作を行った旨を判定し（ステップＳ１７にて「ＹＥＳ」）、保留要求信号をＢＴインタフェース部３から通話中にある携帯電話機２２に送信させる（ステップＳ１９）。通話中にある携帯電話機２２は、車載ハンズフリー装置１から保留要求信号を受信すると、通話中の呼を保留中に遷移させ、自機が保留中状態に移行した旨を示す状態通知信号を車載ハンズフリー装置１に送信する。
【００３４】
制御部２は、通話中にある携帯電話機２２から状態通知信号をＢＴインタフェース部３により受信したことにより、携帯電話機２２における通話中の呼が保留中に遷移した旨を判定すると（ステップＳ２０にて「ＹＥＳ」）、保留解除要求信号をＢＴインタフェース部３から保留中にある携帯電話機２１に送信させる（本発明でいう保留解除要求を指令する）（ステップＳ２１）。保留中にある携帯電話機２１は、車載ハンズフリー装置１から保留解除要求信号を受信すると、保留中の呼を通話中に遷移させ、自機が通話中状態に移行した旨を示す状態通知信号を車載ハンズフリー装置１に送信する。
【００３５】
制御部２は、携帯電話機２１から状態通知信号をＢＴインタフェース部３により受信したことにより、携帯電話機２１における保留中の呼が通話中に遷移した旨を判定すると（ステップＳ２２にて「ＹＥＳ」）、ＢＴインタフェース部３における携帯電話機に対する送話音声及び受話音声の経路である音声パスの接続を携帯電話機２２から携帯電話機２１に切替え（ステップＳ２３）、上記したステップＳ１７，１８に戻り、上記した処理を繰返して行う。これにより、ユーザは、通話相手切替の操作を行うことにより、通話中にある携帯電話機２２を保留中にさせる共に保留中にある携帯電話機２１を通話中にさせることができ、携帯電話機２１を発信先として発信した通話相手と再度通話することができ、携帯電話機２２が着信する前の通話相手と再度通話することができる。
【００３６】
これに対して、制御部２は、ユーザが通話相手切替の操作を行うより前に通話中にある携帯電話機２２の通話が終了したか否かを判定すると（ステップＳ１８にて「ＹＥＳ」）、保留解除要求信号をＢＴインタフェース部３から保留中にある携帯電話機２１に送信させる（ステップＳ２４）。保留中にある携帯電話機２１は、車載ハンズフリー装置１から保留解除要求信号を受信すると、保留中の呼を通話中に遷移させ、自機が通話中状態に移行した旨を示す状態通知信号を車載ハンズフリー装置１に送信する。
【００３７】
制御部２は、携帯電話機２１から状態通知信号をＢＴインタフェース部３により受信したことにより、携帯電話機２１における保留中の呼が通話中に遷移した旨を判定すると（ステップＳ２５にて「ＹＥＳ」）、ＢＴインタフェース部３における携帯電話機に対する送話音声及び受話音声の経路である音声パスの接続を携帯電話機２２から携帯電話機２１に切替え（ステップＳ２６）、リターンする。
【００３８】
尚、以上は、携帯電話機２１が既に通話中にあるときに携帯電話機２２が着信した場合を説明したが、これとは反対に、携帯電話機２２が既に通話中にあるときに携帯電話機２１が着信した場合も同様である。
【００３９】
次に、同機割込着信通知処理について図５を参照して説明する。尚、ここでは、携帯電話機２１が既に通話中にあるときに当該携帯電話機２１に着信した場合を説明する。また、ここでは、携帯電話網３１が提供している割込着信通知サービスの契約を携帯電話機２１が締結しており、携帯電話機２１が既に通話中にあるときに当該携帯電話機２１が着信した場合には、携帯電話網３１から送信された割込着信通知サービスで規定されている着信音を出力させる構成を前提として説明する。
【００４０】
制御部２は、同機割込着信通知処理に移行すると、通話中にある携帯電話機２１から受信した受話音声をスピーカ１１及びスピーカ１２から出力させると同時に、携帯電話網３１から送信された割込着信通知サービスで規定されている着信音をスピーカ１１及びスピーカ１２から出力させることにより、携帯電話機２１が着信した旨をユーザ通知し、ユーザが着信応答の操作を行ったか否かを判定する（ステップＳ３１）。
【００４１】
ここで、制御部２は、ユーザが例えばハンドルの脇に配置されているスイッチやタッチ操作入力部７に形成されているタッチスイッチにより着信応答の操作を行うと、ユーザが着信応答の操作を行った旨を判定し（ステップＳ１１にて「ＹＥＳ」）、割込着信応答信号をＢＴインタフェース部３から携帯電話機２１に送信させる（ステップＳ３２）。携帯電話機２１は、車載ハンズフリー装置１から割込着信応答信号を受信すると、通話中の呼を保留中に遷移させ、着信中の呼を通話中に遷移させる。
【００４２】
次いで、制御部２は、携帯電話機２１における通話中の呼が保留中に遷移した旨を判定し（ステップＳ３３にて「ＹＥＳ」）、携帯電話機２１における着信中の呼が通話中に遷移した旨を判定すると（ステップＳ３４にて「ＹＥＳ」）、携帯電話機２１における呼状態が切替わった旨を識別する。
【００４３】
次いで、制御部２は、ユーザが通話相手切替の操作を行ったか否かを判定すると共に（ステップＳ３５）、携帯電話機２１の通話が終了したか否かを判定する（ステップＳ３６）。ここで、制御部２は、携帯電話機２１の通話が終了するより前にユーザが例えばハンドルの脇に配置されているスイッチやタッチ操作入力部７に形成されているタッチスイッチにより通話相手切替の操作を行うと、ユーザが通話相手切替の操作を行った旨を判定し（ステップＳ３５にて「ＹＥＳ」）、通話相手切替信号をＢＴインタフェース部３から携帯電話機２１に送信させる（ステップＳ３７）。携帯電話機２１は、車載ハンズフリー装置１から通話相手切替信号を受信すると、通話中の呼を保留中に遷移させ、保留中の呼を通話中に遷移させる。
【００４４】
そして、制御部２は、携帯電話機２１における通話中の呼が保留中に遷移した旨を判定し（ステップＳ３８にて「ＹＥＳ」）、携帯電話機２１における保留中の呼が通話中に遷移した旨を判定すると（ステップＳ３９にて「ＹＥＳ」）、携帯電話機２１における呼状態が切替わった旨を識別し、上記したステップＳ３５，３６に戻り、上記した処理を繰返して行う。
【００４５】
これに対して、制御部２は、ユーザが例えばハンドルの脇に配置されているスイッチやタッチ操作入力部７に形成されているタッチスイッチにより通話相手切替の操作を行うより前に携帯電話機２１の通話が終了すると、携帯電話機２１の通話が終了した旨を判定し（ステップＳ３６にて「ＹＥＳ」）、携帯電話機２１における保留中の呼が通話中に遷移した旨を判定すると（ステップＳ４０にて「ＹＥＳ」）、リターンする。すなわち、制御部２は、同機割込着信通知処理においては、上記した異機割込着信通知処理とは異なって、ＢＴインタフェース部３における携帯電話機に対する送話音声及び受話音声の経路である音声パスの接続を切替えることはない。
【００４６】
ところで、上記した構成において、異機割込着信通知処理及び同機割込着信通知処理の双方の場合においてスピーカ１１及びスピーカ１２から受話音声が出力されると同時に着信音が出力されることになるので、異機割込着信通知処理のときに出力される着信音と同機割込着信通知処理のときに出力される着信音とは例えば周波数帯域や出力パターンが異なる方が望ましい。そのように構成すれば、単に着信をユーザに認識させることができるだけでなく、その着信が通話中にある携帯電話機とは異なる携帯電話機への着信であるのか或いは通話中にある携帯電話機への着信であるのかをユーザに認識させることができる。
【００４７】
以上に説明したように本実施形態によれば、車載ハンズフリー装置１において、ハンズフリープロファイルを同時に接続している携帯電話機２１が通話中にあるときに携帯電話機２２が着信した場合に、ユーザが着信した携帯電話機２２に対する着信応答の操作を行うと、通話中にある携帯電話機２１に保留要求信号を送信することにより、携帯電話機２１における通話中の呼を保留中に遷移させ、携帯電話機２２に着信応答信号を送信することにより、携帯電話機２２における着信中の呼を通話中に遷移させ、ＢＴインタフェース部３における携帯電話機に対する送話音声及び受話音声の経路である音声パスの接続を携帯電話機２１から携帯電話機２２に切替えるように構成したので、携帯電話機２１及び携帯電話機２２の各々について呼状態を切替えることができ、ユーザの使い勝手を高めることができる。
【００４８】
また、ハンズフリープロファイルを同時に接続している携帯電話機２２が通話中にあり且つ携帯電話機２１が保留中にある場合に、ユーザが通話相手切替の操作を行うと、通話中にある携帯電話機２２に保留要求信号を送信することにより、携帯電話機２２における通話中の呼を保留中に遷移させ、保留中にある携帯電話機２１に保留解除要求信号を送信することにより、携帯電話機２１における保留中の呼を通話中に遷移させ、ＢＴインタフェース部３における携帯電話機に対する送話音声及び受話音声の経路である音声パスの接続を携帯電話機２２から携帯電話機２１に切替えるように構成したので、着信応答した以降においても、携帯電話機２１及び携帯電話機２２について呼状態を切替えることができる。
【００４９】
本発明は、上記した実施形態にのみ限定されるものではなく、以下のように変形または拡張することができる。
車載ハンズフリー装置１の機能が例えば車載ナビゲーション装置などの別の車載装置に組み込まれていても良い。
携帯電話機から車載ハンズフリー装置に転送される着信音は、楽曲（いわゆる着信メロディ）であっても良い。
【図面の簡単な説明】
【００５０】
【図１】本発明の一実施形態を示す機能ブロック図
【図２】フローチャート（その１）
【図３】フローチャート（その２）
【図４】処理の流れを示すシーケンス図
【図５】フローチャート（その３）
【符号の説明】
【００５１】
図面中、１は車載ハンズフリー装置、２は制御部（制御手段）、３はＢＴインタフェース部（ハンズフリー接続手段）、１６はタッチ操作入力装置（異機割込着信応答操作手段、通話相手切替操作手段、同機割込着信応答操作手段）、２１，２２は携帯電話機、３１は携帯電話網（通信網）である。
【図１】
0005318439.tif 000002
【図２】
0005318439.tif 000003
【図３】
0005318439.tif 000004
【図４】
0005318439.tif 000005
【図５】
0005318439.tif 000006